(57)【要約】【課題】表示画面が縦長の開いた状態と横長の開いた状態とのいずれの状態についても、閉じた状態からスライド動作を１工程行うだけで得られる携帯端末を提供する。【解決手段】携帯端末１が備えるスライド支持機構は、第１筐体１０側に設けられて、表示画面２１の長手方向に平行な直線部１２ａと直線部１２ａの一端と連続する円弧状の円弧部１２ｂとを有する第１案内溝１２と、第２筐体２０側に設けられて、第１案内溝１２にスライド可能に係合保持される第１案内ピン２２と、を備える。直線部１２ａと円弧部１２ｂとの交差点ＣＰにある第１案内ピン２２を、直線部１２ａに沿って移動させた場合、及び、円弧部１２ｂに沿って移動させた場合のいずれの場合にも、第２筐体２０に覆われた入力部１１の全部或いは一部が露出される。【選択図】図１
2011049806.tif 000002
【特許請求の範囲】
【請求項１】
複数の入力部を有する第１筐体と、
前記第１筐体の上に重畳配置され、略長方形状の表示画面を有する第２筐体と、
前記第２筐体を前記第１筐体に対してスライド可能に支持するスライド支持機構と、
を備える携帯端末であって、
前記スライド支持機構は、
前記第１筐体側及び前記第２筐体側のうちのいずれか一方側に設けられて、前記表示画面の長手方向に平行な直線部と前記直線部の一端と連続する円弧状の円弧部とを有する第１案内溝と、
前記第１筐体側及び前記第２筐体側のうちの他方に設けられて、前記第１案内溝にスライド可能に係合保持される第１案内ピンと、を備え、
前記直線部と前記円弧部との交差点にある前記第１案内ピンを、前記直線部に沿って移動させた場合、及び、前記円弧部に沿って移動させた場合のいずれの場合にも、前記第２筐体に覆われた前記入力部の全部或いは一部が露出されることを特徴とする携帯端末。
【請求項２】
前記スライド支持機構は、
前記第１筐体側及び前記第２筐体側のうち、前記第１案内溝と同じ側に設けられて、前記直線部に平行な直線状の第２案内溝と、
前記第１筐体側及び前記第２筐体側のうち、前記第１案内ピンと同じ側に設けられて、前記第２案内溝にスライド可能に係合保持される第２案内ピンと、を更に備えることを特徴とする請求項１に記載の携帯端末。
【請求項３】
前記スライド支持機構には、前記第２筐体のスライド移動を補助する補助バネが含まれることを特徴とする請求項１又は２に記載の携帯端末。
【請求項４】
前記補助バネはトーションバネであって、
前記トーションバネの一端は、前記第１案内ピンに回転可能に支持され、他端は、前記第１筐体側及び前記第２筐体側のうち、前記第１案内溝と同じ側に設けられるバネ保持用ピンに回転可能に支持されることを特徴とする請求項３に記載の携帯端末。
【請求項５】
前記スライド支持機構を形成する部材の少なくとも一部は、前記第１筐体と前記第２筐体とに直接取り付けられていることを特徴とする請求項１から４のいずれかに記載の携帯端末。
【請求項６】
前記スライド支持機構は、前記第１筐体に固定される第１部材と、前記第２筐体に固定されると共に、前記第１部材に対してスライド可能に設けられる第２部材と、を備えるユニット部材で構成されていることを特徴とする請求項１から４のいずれかに記載の携帯端末。
【発明の詳細な説明】
【技術分野】
【０００１】
本発明は、例えば携帯電話機、ＰＤＡ、スマートフォン等のモバイル機器に代表される携帯端末に関し、詳細には筐体同士を互いにスライドさせる機構を備えたスライド式携帯端末に関する。
【背景技術】
【０００２】
従来、筐体同士を互いにスライドさせる機構を備えたスライド式携帯端末が種々提案されている。このようなスライド式携帯端末の中には、例えば特許文献１に示されるように、画像を表示する表示画面（表示部）について縦長状態と横長状態とに切り換えられるように構成されるものがある。
【０００３】
図８は、従来のスライド式携帯端末の構成を示す分解斜視図である。図９は、従来のスライド式携帯端末において、表示部の縦長状態を維持して直線的にスライド移動した状態を示す斜視図で、支持機構の動作を理解し易いように第１の筐体を破断して示している。図１０は、従来のスライド式携帯端末において、表示部が回転されて横長状態となった状態を示す斜視図で、支持機構の動作を理解し易いように第１の筐体を破断して示している。
【０００４】
図８〜１０に示すように、従来のスライド式携帯端末１００は、表面に上下方向に長い縦長の表示部１０１ａを有する第１の筐体１０１と、表面に操作部１０３を有する第２の筐体１０２と、第１の筐体１０１を第２の筐体１０２にスライド自在に支持する支持機構１０４と、を備えている。
【０００５】
支持機構１０４は、第２の筐体１０２側に設けた第１及び第２ガイド軸１１１、１１２と、第１の筐体１０１側に設けられ、第１ガイド軸１１１をガイドする第１ガイド孔１２１と、第１の筐体１０１側に設けられ、第２ガイド軸１１２をガイドする第２ガイド孔１２２と、を備えている。第１ガイド孔１２１は、上下方向に延びる直線状の孔で構成されている。また、第２ガイド孔１２２は、第１ガイド孔１２１に平行な直線部１２２ａと、この直線部１２２ａの下端に連続する円弧状の円弧部１２２ｂとを備えている。
【０００６】
なお、第１ガイド孔１２１及び第２ガイド孔１２２はガイドプレート１２０に形成されている。そして、このガイドプレート１２０が第１の筐体１０１に固定されることによって、第１ガイド孔１２１及び第２ガイド孔１２２は第１の筐体１０１側に設けられる構成となっている。
【０００７】
このように構成される従来のスライド式携帯端末１００は、第１ガイド軸１１１が第１ガイド孔１２１をスライド移動しながら、第２ガイド軸１１２が第２ガイド孔１２２の直線部１２２ａをスライド移動することで、第１の筐体１０１が第２の筐体１０２に対して上下方向にスライド移動する。図９は、このスライド移動が完了した状態で、操作部１０３の一部が露出された状態となっている。
【０００８】
第１の筐体１０１が先に述べたスライド移動を完了した状態（図９に示す状態）で、第２ガイド軸１１２が第２ガイド孔１２２の円弧部１２２ｂをスライド移動することで、第１の筐体１０１が第２の筐体１０２に対して回転する。図１０は、この第２の筐体１０２の回転を伴うスライド移動が完了した状態を示し、この状態は、表示部１０１ａが縦長状態から横長状態に切り換わった状態である。また、この状態においては、第２の筐体１０２の表面に形成される操作部１０３が全て露出された状態となっている。
【０００９】
この構成の場合、第２の筐体１０２に対する第１の筐体１０１の直線移動と回転移動とを、直線移動用の機構と回転移動用の機構との２つに分けることなく、１つのスライド支持機構で行えるので便利である。
【先行技術文献】
【特許文献】
【００１０】
【特許文献１】特開２００８−１９３５１９号公報
【発明の概要】
【発明が解決しようとする課題】
【００１１】
ところで、スライド式携帯端末を使用しない場合には、第２の筐体１０２に設けられる操作部１０３が、第１の筐体１０１によって隠された状態（閉じた状態）とされるのが一般的である。すなわち、スライド式携帯端末の状態としては閉じた状態が最も頻度が高い状態である。このため、操作部１０４を露出させて使用する状態（開いた状態）に、上述のように表示部１０１ａを縦長とする状態と横長とする状態との２つの選択肢がある場合には、閉じた状態からこの２つのいずれの状態にするかを選択できる方が便利である。
【００１２】
この点、特許文献１に開示されるスライド式携帯端末１００では、一端、表示部１０１ａが縦長である開いた状態とした後でなければ、表示部１０１ａが横長である開いた状態とすることができない。すなわち、特許文献１に開示されるスライド式携帯端末１００では、閉じた状態（上述のように、この状態からスライド操作を開始することが最も多いと考えられる）から表示部１０１ａを横長状態で使用したいと考えた場合には、スライド動作を２工程行う必要があり、ユーザは、このような操作を煩わしく感じる可能性がある。
【００１３】
そこで、本発明の目的は、表示画面が縦長の開いた状態と横長の開いた状態とのいずれの状態についても、閉じた状態からスライド動作を１工程行うだけで得られる携帯端末を提供することである。
【課題を解決するための手段】
【００１４】
上記目的を達成するために本発明の携帯端末は、複数の入力部を有する第１筐体と、前記第１筐体の上に重畳配置され、略長方形状の表示画面を有する第２筐体と、前記第２筐体を前記第１筐体に対してスライド可能に支持するスライド支持機構と、を備える携帯端末であって、前記スライド支持機構は、前記第１筐体側及び前記第２筐体側のうちのいずれか一方側に設けられて、前記表示画面の長手方向に平行な直線部と前記直線部の一端と連続する円弧状の円弧部とを有する第１案内溝と、前記第１筐体側及び前記第２筐体側のうちの他方に設けられて、前記第１案内溝にスライド可能に係合保持される第１案内ピンと、を備え、前記直線部と前記円弧部との交差点にある前記第１案内ピンを、前記直線部に沿って移動させた場合、及び、前記円弧部に沿って移動させた場合のいずれの場合にも、前記第２筐体に覆われた前記入力部の全部或いは一部が露出されることを特徴としている。
【００１５】
本構成によれば、第１案内溝を構成する直線部と円弧部との交差点にある第１案内ピンを、直線部に沿ってスライド移動させた場合も、円弧部に沿ってスライド移動させた場合にも、表示画面を有する筐体に隠されていた入力部が露出されるように構成されている。すなわち、本構成の携帯端末では、第１案内ピンが直線部と円弧部との交差点に存在する状態を閉じた状態として、その状態からスライド動作を１工程行うだけで、表示画面が縦長の開いた状態と、表示画面が横長の開いた状態と、を選択的に得ることが可能である。また、本構成の携帯端末では、第１筐体に対する第２筐体の直線移動と回転移動とを、直線移動用の機構と回転移動用の機構との２つに分けることなく、１つのスライド支持機構で行えるので、携帯端末の構成が複雑とならない。
【００１６】
上記構成の携帯端末において、前記スライド支持機構は、前記第１筐体側及び前記第２筐体側のうち、前記第１案内溝と同じ側に設けられて、前記直線部に平行な直線状の第２案内溝と、前記第１筐体側及び前記第２筐体側のうち、前記第１案内ピンと同じ側に設けられて、前記第２案内溝にスライド可能に係合保持される第２案内ピンと、を更に備えることとするのが好ましい。
【００１７】
本構成によれば、２つの筐体を互いにスライド移動可能に支持する案内溝及び案内ピンの組が２組設けられることになり、第１筐体に対して第２筐体を安定してスライド移動することが可能となる。
【００１８】
上記構成の携帯端末において、前記スライド支持機構には、前記第２筐体のスライド移動を補助する補助バネが含まれることとするのが好ましい。この場合の具体的な構成として、前記補助バネはトーションバネであって、前記トーションバネの一端は、前記第１案内ピンに回転可能に支持され、他端は、前記第１筐体側及び前記第２筐体側のうち、前記第１案内溝と同じ側に設けられるバネ保持用ピンに回転可能に支持されることとしてもよい。
【００１９】
本構成によれば、スライド移動を補助する補助バネによって、第１筐体に対する第２筐体のスライド移動を行う際の操作性を向上できる。したがって、本構成の携帯端末は使い勝手が向上し、ユーザにとって好ましいものとなる。
【００２０】
上記構成の携帯端末において、前記スライド支持機構を形成する部材の少なくとも一部は、前記第１筐体と前記第２筐体とに直接取り付けられていることとしてもよい。このように構成することで、部品点数を極力少なくすることができる。
【００２１】
上記構成の携帯端末において、前記スライド支持機構は、前記第１筐体に固定される第１部材と、前記第２筐体に固定されると共に、前記第１部材に対してスライド可能に設けられる第２部材と、を備えるユニット部材で構成されていることとしてもよい。このようにスライド支持機構をユニット化すると、複数種類の携帯端末に対して、本発明を安価に適用し易くなる。
【発明の効果】
【００２２】
本発明によれば、表示画面が縦長の開いた状態と横長の開いた状態とのいずれの状態についても、閉じた状態からスライド動作を１工程行うだけで得られ、使い勝手のよい携帯端末の提供が可能である。
【図面の簡単な説明】
【００２３】
【図１】本実施形態の携帯端末の概略構成を示す分解斜視図
【図２】本実施形態の携帯端末が閉じた状態を示す概略平面図
【図３】本実施形態の携帯端末において、閉じた状態から、操作側筐体に対して表示側筐体が表示画面の長手方向に平行な方向に直線移動されて開いた状態となる様子を示す概略斜視図
【図４】本実施形態の携帯端末において、閉じた状態から、操作側筐体に対して表示側筐体が表示画面の長手方向に平行な方向に直線移動されて開いた状態となる様子を示す概略平面図
【図５】本実施形態の携帯端末において、閉じた状態から、操作側筐体に対して表示側筐体が回転移動されて開いた状態となる様子を示す概略斜視図
【図６】本実施形態の携帯端末において、閉じた状態から、閉じた状態から、操作側筐体に対して表示側筐体が回転移動されて開いた状態となる様子を示す概略平面図
【図７】本発明の他の実施形態について説明するための側面図
【図８】従来のスライド式携帯端末の構成を示す分解斜視図
【図９】従来のスライド式携帯端末において、表示部の縦長状態を維持して直線的にスライド移動した状態を示す斜視図
【図１０】従来のスライド式携帯端末において、表示部が回転されて横長状態となった状態を示す斜視図
【発明を実施するための形態】
【００２４】
以下、本発明の携帯端末の実施形態について、図面を参照しながら詳細に説明する。なお、本発明の携帯端末は、例えば、携帯電話機、ＰＨＳ（Personal Handy-phone System）、ＰＤＡ（Personal Digital Assistant）、スマートフォン、ＰＣ（Personal Computer）、携帯型ゲーム機などとして実現される。
【００２５】
図１は、本実施形態の携帯端末の概略構成を示す分解斜視図である。図１に示すように、本実施形態の携帯端末１は、操作側筐体１０と、操作側筐体１０の上に重畳配置される表示側筐体２０と、を備えている。なお、操作側筐体１０は本発明の第１筐体の実施形態であり、表示側筐体２０は本発明の第２筐体の実施形態である。
【００２６】
操作側筐体１０は例えば合成樹脂や金属によって形成され、その形状は略直方体形状となっている。この操作側筐体１０の上面１０ａ（重畳配置される表示側筐体２０と対向する面）には、複数の入力キー（入力部）１１が設けられている。ユーザは、この複数の入力キー１１を用いて携帯端末１が備える各種機能を操作できるようになっている。複数の入力キー１１は、図１に示すように操作側筐体上面１０ａの右側領域に設けられている。
【００２７】
なお、複数の入力キーの数や配置は一例であり、適宜変更して構わない。また、携帯端末１が備える各種機能を操作するために設けられる入力部は、本実施形態にようにボタン形式（入力キー１１）でもよいが、その他の形態でもよく、例えばタッチパネル等であってもよい。
【００２８】
操作側筐体１０の上面１０ａには、複数の入力キー１１の他に、第１案内溝１２と第２案内溝１３とが設けられている。第１案内溝１２及び第２案内溝１３は、操作側筐体１０に直接形成されており、それらが設けられる領域は操作側筐体上面１０ａの左側領域となっている。第１案内溝１２は、操作側筐体上面１０ａの長手方向（これは、詳細は後述する表示側筐体２０の表示画面２１の長手方向と一致する）に平行な方向に延びる直線部１２ａと、この直線部１２ａの右端と連続してつながる円弧状の円弧部１２ｂと、を有している。第２案内溝１３は、第１案内溝１２の直線部１２ａに平行な直線状の溝となっている。
【００２９】
また、操作側筐体上面１０ａの第１案内溝１２の直線部１２ａと第２案内溝１３との間には、操作側筐体１０と表示側筐体２０との間に配置されるトーションバネ３１の一端３１ａを保持する断面視略Ｔ字状のバネ保持用ピン１４が設けられている。このバネ保持用ピン１４は、操作側筐体１０に直接取り付けられている。なお、このバネ保持用ピン１４は、本実施形態では操作側筐体１０とは別部材としているが、場合によっては、操作側筐体１０と一体的に設けてもよい。
【００３０】
表示側筐体２０は例えば合成樹脂や金属によって形成され、その形状は略直方体形状となっている。本実施形態の携帯端末１においては、操作側筐体１０及び表示側筐体２０を上方から平面視した場合、いずれも長方形状であり、その縦及び横の長さは互いに略同一の関係となっている。表示側筐体２０には、その上面２０ａに略長方形形状の表示画面２１が配置されるように、例えば液晶ディスプレイ等で構成される表示ユニットが搭載されている。
【００３１】
表示側筐体２０の下面２０ｂには、断面視略Ｔ字状の第１案内ピン２２及び第２案内ピン２３が設けられている。この２つの案内ピン２２、２３は、表示側筐体２０の下面２０ｂに直接取り付けられている。なお、この２つの案内ピン２２、２３は、本実施形態では表示側筐体２０とは別部材としているが、場合によっては、表示側筐体２０と一体的に設けてもよい。
【００３２】
操作側筐体１０と表示側筐体２０とは、表示側筐体２０の第１案内ピン２２が操作側筐体１０の第１案内溝１２に係合保持され、表示側筐体２０の第２案内ピン２３が操作側筐体１０の第２案内溝１３に係合保持されることによって一体となる。なお、第１案内ピン２２は第１案内溝１２にスライド可能な状態で係合保持され、第２案内ピン２３は第２案内溝１３にスライド可能な状態で係合保持される。換言すれば、携帯端末１は、表示側筐体２０を操作側筐体１０に対してスライド移動可能に支持する構成となっている。
【００３３】
なお、操作側筐体１０と表示側筐体２０とは、図示しない信号ケーブルで電気的に接続されている。この信号ケーブルは、柔軟性を有する部材で形成され、操作側筐体１０に対して表示側筐体２０がスライド移動しても、両者の電気的な接続が維持されるように構成されている。
【００３４】
また、本実施形態の携帯端末１では、操作側筐体１０と表示側筐体２０とを一体とするにあたり、両者の間にトーションバネ３１が回転可能に保持される。このトーションバネ３１は、その一端３１ａが操作側筐体１０に設けられるバネ保持用ピン１４に回転可能に支持され、他端３１ｂが表示側筐体２０に設けられる第１案内ピン２２に回転可能に支持される。このトーションバネ３１は、詳細は後述するが、表示側筐体２０の操作側筐体１０に対するスライド移動を補助する補助バネとして機能する。
【００３５】
なお、携帯端末１における、第１案内溝１２、第２案内溝１３、第１案内ピン２２、及び第２案内ピン２３は、本発明におけるスライド支持機構の実施形態である。そして、本実施形態の携帯端末１においては、スライド支持機構に、バネ保持用ピン１４及びトーションバネ３１も含まれた構成となっている。
【００３６】
次に、以上のように構成される本実施形態の携帯端末１の動作について、図２、図３、図４、図５、及び図６を参照しながら説明する。
【００３７】
図２は、本実施形態の携帯端末が閉じた状態を示す概略平面図である。なお、図２においては、携帯端末１の動作の理解を容易とするために破線でスライド支持機構を構成する部材を示している。図２の閉じた状態は、上方から平面視した場合の縦、横のサイズが同一の操作側筐体１０と表示側筐体２０とが、互いの各辺が重なるように重畳された状態である。この状態では、操作側筐体１０の上面１０ａに設けられる複数の入力キー１１の全てが表示側筐体２０によって覆い隠された状態となっている。
【００３８】
ここで、本明細書では、このように表示側筐体２０が操作側筐体１０の複数の入力キー１１を隠して、携帯端末１がコンパクトな状態となった図２に示すような状態を閉じた状態と表現する。そして、操作側筐体１０に対して表示側筐体２０をスライド移動して、表示側筐体２０に隠された入力キー１１を露出させた状態を開いた状態と表現する。
【００３９】
なお、本実施形態では、操作側筐体１０と表示側筐体２０とを上方から平面視した場合のサイズを同一とし、閉じた状態では操作側筐体上面１０ａに形成される複数の入力キー１１の全てが表示側筐体２０に覆い隠されるように構成している。しかし、操作側筐体１０と表示側筐体２０とを上方から平面視した場合のサイズが互いに異なる関係としても本発明は適用でき、この場合には、閉じた状態でも操作側筐体上面１０ａに形成される複数の入力キー１１の一部が露出した構成とすることができる。このようなことから、本発明においては、閉じた状態としては、表示側筐体２０が操作側筐体上面１０ａに形成される複数の入力キー１１の全部或いは一部を覆い隠した状態が想定される。この点、一応断っておく。
【００４０】
本実施形態の携帯端末１では、閉じた状態においては、ユーザは操作側筐体上面１０ａに設けられるの入力キー１１を用いて携帯端末１の操作を行うことができない。このため、携帯端末１においては、この閉じた状態は、例えば携帯端末の操作を行わない不使用時、動画鑑賞時、電話使用時等に使用することが想定される。
【００４１】
なお、閉じた状態においては、図２に示すように、第１案内ピン２２は、第１案内溝１２の直線部１２ａと円弧部１２ｂとの交差点ＣＰに位置している。また、第２案内ピン２３は、第２案内溝１３の右端に位置している。
【００４２】
図３は、本実施形態の携帯端末において、閉じた状態から、操作側筐体に対して表示側筐体が表示画面の長手方向に平行な方向に直線移動されて開いた状態となる様子を示す概略斜視図で、図３（ａ）は移動中の状態、図３（ｂ）は移動が完了した状態を示している。図４は、本実施形態の携帯端末において、閉じた状態から、操作側筐体に対して表示側筐体が表示画面の長手方向に平行な方向に直線移動されて開いた状態となる様子を示す概略平面図で、図４（ａ）は移動中の状態、図４（ｂ）は移動が完了した状態を示している。なお、図４（ａ）は図３（ａ）の状態の平面図で、図４（ｂ）は図３（ｂ）の状態の平面図である。また、図４では、携帯端末１の動作の理解を容易とするために破線でスライド支持機構を構成する部材を示している。
【００４３】
図３（ｂ）及び図４（ｂ）の開いた状態（以下、第１の開状態と表現することがある）は、閉じた状態（図２参照）から、第１案内ピン２２を第１案内溝１２の直線部１２ａに沿って左方向にスライド移動させると共に、第２案内ピン２３を直線状に設けられる第２案内溝１３に沿って左方向にスライド移動させることによって得られる。
【００４４】
第１及び第２案内ピン２２、２３の左方向へのスライド移動開始によって、表示側筐体２０によって覆い隠されていた操作側筐体上面１０ａの入力キー１１が徐々に露出される（図３（ａ）、図４（ａ）参照）。そして、このスライド移動を続け、第１及び第２案内ピン２２、２３が、直線部１２ａ及び第２案内溝１３の左端に当接した時点でスライド移動できなくなり、スライド移動が完了する（図４（ｂ）参照）。これにより、表示画面２１を見ながら入力キー１１を用いて携帯端末１の操作を行うことが可能となる。
【００４５】
なお、第１の開状態（図３（ｂ）、図４（ｂ）の状態）では、操作側筐体上面１０ａに設けられる複数の入力キー１１は、その全部ではなく、一部が露出される構成となっている。しかし、この構成に限られる趣旨ではなく、操作側筐体上面１０ａに設けられる複数の入力キー１１の全てが露出される構成としても勿論構わない。
【００４６】
ところで、本実施形態の携帯端末１は、上述のように、操作側筐体１０と表示側筐体２０との間にトーションバネ３１を有する構成となっている。閉じた状態から第１の開状態とする場合におけるトーションバネ３１の動作について、以下説明する。
【００４７】
閉した状態（図２の状態）においては、トーションバネ３１の付勢力によって、表示側筐体２０は操作側筐体１０に対してスライド移動し難くなっている。すなわち、表示側筐体２０が操作側筐体１０に対して勝手にスライド移動して開いた状態となるといった事態は起こり難くなっている。このため、ユーザは、表示側筐体２０を操作側筐体１０に対して左方向に直線的にスライド移動するにあたって、スライド方向に力を加える必要がある。
【００４８】
ユーザによってスライド方向に力が加えられると、トーションバネ３１は右回り方向に回転されながら圧縮され（図４（ａ）参照）、スライド移動開始からスライド移動完了に至るまでのほぼ中間点において最も圧縮された状態となる（図４（ａ）の状態が該当）。そして、この最も圧縮された状態から、操作側筐体１０に対する表示側筐体２０の位置がスライド方向にずれると、圧縮されたトーションバネ３１の反力によって表示側筐体２０のスライド移動が補助される。このスライド移動を補助している間、トーションバネ３１は更に右回り方向に回転しながら伸長され、第１の開状態となった時点（スライド移動が完了した時点）で、閉じた状態とほぼ同一の付勢力を有する状態となる。この第１の開状態では、閉じた状態と同様に、ユーザが初期に力を加えないとスライド移動を行い難くなっている。
【００４９】
図５は、本実施形態の携帯端末において、閉じた状態から、操作側筐体に対して表示側筐体が回転移動されて開いた状態となる様子を示す概略斜視図で、図５（ａ）は移動中の状態、図５（ｂ）は移動が完了した状態を示している。図６は、本実施形態の携帯端末において、閉じた状態から、操作側筐体に対して表示側筐体が回転移動されて開いた状態となる様子を示す概略平面図で、図６（ａ）は移動中の状態、図６（ｂ）は移動が完了した状態を示している。なお、図６（ａ）は図５（ａ）の状態の平面図で、図６（ｂ）は図５（ｂ）の状態の平面図である。また、図６では、携帯端末１の動作の理解を容易とするために破線でスライド支持機構を構成する部材を示している。
【００５０】
図５（ｂ）及び図６（ｂ）の開いた状態（以下、第２の開状態と表現することがある）は、閉じた状態（図２参照）から、第１案内ピン２２を第１案内溝１２の円弧部１２ｂに沿って左斜め上方にスライド移動させると共に、第２案内ピン２３を直線状に設けられる第２案内溝１３に沿って左方向にスライド移動させることによって得られる。
【００５１】
第１及び第２案内ピン２２、２３のスライド移動開始によって、表示側筐体２０によって覆い隠されていた操作側筐体上面１０ａの入力キー１１が徐々に露出される（図５（ａ）、図６（ａ）参照）。そして、このスライド移動を続け、第１案内ピン２２が、円弧部１２ｂの端部（直線部１２ａと円弧部１２ｂとの交差点ＣＰとは反対側の端部）に当接した時点でスライド移動できなくなり、スライド移動が完了する（図６（ｂ）参照）。これにより、操作側筐体上面１０ａの全ての入力キー１１が露出され、表示画面２１を見ながら入力キー１１を用いて携帯端末１の操作を行うことが可能となる。
【００５２】
なお、第２の状態においては、第２案内ピン２３は第２案内溝１３の中間点よりやや左側に寄った位置までしか移動せず、第２案内溝１３の左端まで至らない。また、本実施形態の携帯端末１では、表示側筐体２０の相対的な回転移動によって操作側筐体上面１０ａに設けられる全ての入力キー１１が露出される構成としているが、これに限定されず、一部の入力キー１１が露出される構成でも勿論構わない。
【００５３】
ところで、閉じた状態から第２の開状態とする場合にも、操作側筐体１０と表示側筐体２０との間に配置されたトーションバネ３１が作動する。以下、閉じた状態から第２の開状態とする場合におけるトーションバネ３１の動作について説明する。
【００５４】
上述のように、閉じた状態（図２の状態）においては、トーションバネ３１の付勢力によって、表示側筐体２０は操作側筐体１０に対してスライド移動し難くなっている。このため、閉じた状態から第２の開状態とするにあたっては、ユーザは、表示側筐体２０の案内ピン２２、２３が操作側筐体１０の案内溝１２ｂ、１３に沿ってスライド移動するように、スライド方向に力を加える必要がある。
【００５５】
ユーザによってスライド方向に力が加えられると、トーションバネ３１は左回り方向に回転されながら圧縮され（図６（ａ）参照）、スライド移動開始からスライド移動完了に至るまでのほぼ中間点において最も圧縮された状態となる（図６（ａ）の状態が該当）。そして、この最も圧縮された状態から、操作側筐体１０に対する表示側筐体２０の位置がスライド方向にずれると、圧縮されたトーションバネ３１の反力によって表示側筐体２０のスライド移動が補助される。このスライド移動を補助している間、トーションバネ３１は更に左回り方向に回転しながら伸長され、第２の開状態となった時点（スライド移動が完了した時点）で、閉じた状態とほぼ同一の付勢力を有する状態となる。この第２の開状態では、閉じた状態と同様に、ユーザが初期に力を加えないとスライド移動を行い難くなっている。
【００５６】
このように、本実施形態の携帯端末１においては、トーションバネ３１の存在により、閉じた状態から第１或いは第２の開状態としたり、第１或いは第２の開状態から閉じた状態としたりすることが行い難くなっている。このため、閉じた状態から勝手に開いた状態とはならない。一方、スライド移動のために所定の力が加えられと、その後はトーションバネ３１によってスライド移動が補助されて、半自動的スライド移動が行われるようになっている。
【００５７】
携帯端末１が備える複数の入力キー１１は、操作側筐体１０の長手方向が左右方向となるように配置された状態で携帯端末１を使用することを前提として構成してもよいし、操作側筐体１０の長手方向が上下方向となるように配置された状態で携帯端末１を使用することを前提として構成してもよい。
【００５８】
前者の構成は、第１の開状態では表示画面２１を横長状態で使用し、第２の開状態では表示画面２１を縦長状態で使用することを想定した携帯端末に適している。より具体的には、例えば、第１の開状態でゲーム操作、動画の再生等の操作を行い、第２の開状態で文章入力（メール作成等）やウェブ上の本を閲覧するための操作を行うといった使用方法が適用される携帯端末に好適の構成である。
【００５９】
後者の構成は、第１の開状態では表示画面２１を縦長状態で使用し、第２の開状態では表示画面２１を横長状態で使用することを想定した携帯端末に適している。より具体的には、例えば、第１の開状態で電話操作、文章入力（メール作成等）等を行い、第２の開状態で動画の再生等の操作やゲーム操作等を行うといった使用方法が適用される携帯端末に好適の構成である。
【００６０】
以上のように本実施形態の携帯端末１は、表示画面２１が縦長の開いた状態と横長の開いた状態とのいずれの状態についても、閉じた状態からスライド動作を１工程行うだけで得られる。このため、ユーザは、携帯端末１のスライド操作を開始する場合の状態として最も頻度の高い状態である閉じた状態から、迅速に、表示画面２１が縦長の開いた状態或いは横長の開いた状態に切り換えられる。そして、このような構成をスライド機構１つののみで構成しているために、携帯端末１の部品点数を抑制して、低コストな携帯端末１の提供が可能である。
【００６１】
以上に示した実施形態は本発明が適用される携帯端末の例示であって、本発明が適用される携帯端末の範囲は以上に示した実施形態の構成に限定されないのは言うまでもない。
【００６２】
例えば、以上に示した実施形態の携帯端末１では、スライド支持機構が第１案内溝１２に加えて第２案内溝１３も備える構成とした。しかしながら、第２案内溝１３を設けない（この場合には第２案内ピン２３も設けない）構成としても構わない。ただし、この場合には、操作側筐体１０に対する表示側筐体２０の支持が不安定になる（回転しやすくなる）ために、例えば、第１案内ピン２２の形状を四角くする等、回転防止の機能を備える構成とする必要がある。
【００６３】
また、以上に示した実施形態の携帯端末１では、操作側筐体１０に第１案内溝１２及び第２案内溝１３を設け、表示側筐体２０に第１案内ピン２２及び第２案内ピン２３を設ける構成とした。しかし、この構成に限られる趣旨ではなく、本実施形態の場合と逆として、操作側筐体１０に第１案内ピン及び第２案内ピンを設け、表示側筐体２０に第１案内溝及び第２案内溝を設ける構成としても構わない。ただし、本実施形態のように構成した方が、開いた状態においても外部から案内溝が見えないように構成できるので好ましい。
【００６４】
また、以上に示した実施形態の携帯端末１では、表示側筐体２０のスライド移動を補助するためにトーションバネ（補助バネ）３１を設ける構成としたが、この補助バネは設けない構成としてもよい。また、補助バネはトーションバネに限定されるものではなく、上記作用が得られれば別のものでもよい。例えば、補助バネを複数のコイルバネを用いて形成してもよい。
【００６５】
その他、以上に示した実施形態の携帯端末１では、表示側筐体２０を操作側筐体１０に対してスライド移動可能に支持するスライド支持機構を構成する案内溝１２、１３や案内ピン２２、２３が筐体１０、２０に直接取り付けられる構成とした。しかしながら、本発明が適用される携帯端末の構成は、この構成に限定される趣旨ではない。
【００６６】
例えば、図７（ａ）に示すように、スライド支持機構をユニット化して、このユニット（スライドユニット）を操作側筐体１０及び表示側筐体２０に取り付ける構成としても構わない。図７（ａ）はスライドユニットを用いる場合の一例であり、このスライドユニット４０は、本実施形態の案内溝１２、１３と同様の案内溝が設けられて操作側筐体１０に固定される溝用プレート（第１部材）４１と、本実施形態の案内ピン２２、２３と同様の案内ピン４２ａ、４２ｂが設けられて表示側筐体２０に固定されるピン用プレート（第２部材）４２と、を備える構成となっている。なお、図７では、補助バネ（例えばトーションバネ）が設けられない構成を示しているが、勿論補助バネを備える構成としてもよい。
【００６７】
また、図７（ｂ）のように、スライド支持機構を構成する案内ピン２２、２３は本実施形態の如く、表示側筐体２０に直接取り付け、案内溝については操作側筐体１０に固定される溝用プレート４１に設ける構成等としても構わない。
【産業上の利用可能性】
【００６８】
本発明は、例えば携帯電話機、ＰＤＡ、スマートフォン等のモバイル機器に代表される携帯端末に対して好適である。
【符号の説明】
【００６９】
１  携帯端末
１０  操作側筐体（第１筐体）
１１  入力キー（入力部）
１２  第１案内溝（スライド支持機構の一部）
１２ａ  直線部
１２ｂ  円弧部
１３  第２案内溝（スライド支持機構の一部）
１４  バネ保持用ピン
２０  表示側筐体（第２筐体）
２１  表示画面
２２  第１案内ピン（スライド支持機構の一部）
２３  第２案内ピン（スライド支持機構の一部）
３１  トーションバネ（補助バネ）
４０  スライドユニット
４１  溝用プレート（第１部材）
４２  ピン用プレート（第２部材）
ＣＰ  直線部と円弧部との交差点
【図１】
2011049806.tif 000003
【図２】
2011049806.tif 000004
【図３】
2011049806.tif 000005
【図４】
2011049806.tif 000006
【図５】
2011049806.tif 000007
【図６】
2011049806.tif 000008
【図７】
2011049806.tif 000009
【図８】
2011049806.tif 000010
【図９】
2011049806.tif 000011
【図１０】
2011049806.tif 000012